(57)【要約】【課題】雨養生部が破損し難い雨養生装置及び雨養生装置に用いるジョイント材を提供する。【解決手段】建物の周囲に配設され、建地材及び手摺材を含む足場部と、前記建物の上方を、水勾配を有して覆う雨養生部と、を備える、雨養生装置であって、前記建地材の上端が、前記手摺材のうち最上層の手摺材の上端以下に位置し、前記雨養生部が前記最上層の手摺材の上端に支持されている。【選択図】図１
2019065501.tif 000002
【特許請求の範囲】
【請求項１】
建物の周囲に配設され、建地材及び手摺材を含む足場部と、
前記建物の上方を、水勾配を有して覆う雨養生部と、
を備える、雨養生装置であって、
前記建地材の上端が、前記手摺材のうち最上層の手摺材の上端以下に位置し、
前記雨養生部が前記最上層の手摺材の上端に支持されている、雨養生装置。
【請求項２】
前記雨養生部は、前記手摺材に固定されている、請求項１に記載の雨養生装置。
【請求項３】
前記雨養生部は、該雨養生部の下面に複数の固定部材を備える、請求項２に記載の雨養生装置。
【請求項４】
前記固定部材は、平面視において、所定のモジュールに基づき該モジュールの交点に配置されている、請求項３に記載の雨養生装置。
【請求項５】
前記雨養生部は、平面視において、前記所定のモジュールに従う外形寸法を有する、請求項４に記載の雨養生装置。
【請求項６】
前記足場部の側方の少なくとも一部を覆うシートを備える、請求項１〜５のいずれか一項に記載の雨養生装置。
【請求項７】
前記雨養生部は、空気膜構造である、請求項１〜６のいずれか一項に記載の雨養生装置。
【請求項８】
前記建地材の上端を含む上端部が、ジョイント材により構成されており、
前記雨養生部を支持している前記最上層の手摺材が、前記ジョイント材に連結している、請求項１〜７のいずれか一項に記載の雨養生装置。
【請求項９】
建地本体に接続可能な本体部と、
前記本体部に配設された、手摺材を係合可能な係合部と、
を有する、ジョイント材。
【発明の詳細な説明】
【技術分野】
【０００１】
本発明は、雨養生装置及び雨養生装置に用いるジョイント材に関する。
【背景技術】
【０００２】
従来、建築工事中の建物を天候から保護することや、天候に左右されずに作業を行うこと等を目的として、建築工事中の建物を、防水性を有するシートで覆うことが行われている。
【０００３】
例えば、特許文献１には、建設予定地に仮設される足場と、足場を覆う養生シートと、養生シートの中央部を支える支柱と、を備える建築装置が開示されている。この建築装置では、建築予定地又は建物のいずれかに立設された支柱と、足場の建地材の上端に設けられた複数の滑車と、を養生シートに接触させることにより、建築装置の上部形状を保持している。
【先行技術文献】
【特許文献】
【０００４】
【特許文献１】特開２０１４−２１４４５１号公報
【発明の概要】
【発明が解決しようとする課題】
【０００５】
しかしながら、雨養生部としての養生シートが支柱や建地材の上端等の突出部と接触する場合、養生シートが風の影響等を受けて支柱や建地材に擦れることや、該養生シート上に溜まった雨水の重みで支柱や建地材に押しつけられることがある。このような場合に、当該支柱や建地材の上端等との接触部分を起端として養生シートが破損する虞がある。養生シートが破損すると、建築工事中の建物が雨水等に曝され、工期の延長を余儀なくされる虞がある。
【０００６】
そこで、本発明は、雨養生部が破損し難い雨養生装置及び雨養生装置に用いるジョイント材を提供することを目的とする。
【課題を解決するための手段】
【０００７】
（１）本発明の雨養生装置は、建物の周囲に配設され、建地材及び手摺材を含む足場部と、前記建物の上方を、水勾配を有して覆う雨養生部と、を備える、雨養生装置であって、前記建地材の上端が、前記手摺材のうち最上層の手摺材の上端以下に位置し、前記雨養生部が前記最上層の手摺材の上端に支持されていることを特徴とする。
【０００８】
なお、本明細書において、「最上層の手摺材」とは、手摺材のうち足場部の最上端を含む手摺材を意味する。すなわち、足場部の上端を含む手摺材であっても、該足場部の最上端を含まない手摺材は、最上層の手摺材には含まれない。
【０００９】
（２）本発明の雨養生装置において、前記雨養生部は、前記手摺材に固定されていることが好ましい。
【００１０】
（３）本発明の雨養生装置において、前記雨養生部は、該雨養生部の下面に複数の固定部材を備えることが好ましい。
【００１１】
（４）本発明の雨養生装置において、前記固定部材は、平面視において、所定のモジュールに基づき該モジュールの交点に配置されていることが好ましい。
【００１２】
（５）本発明の雨養生装置において、前記雨養生部は、平面視において、前記所定のモジュールに従う外形寸法を有することが好ましい。
【００１３】
（６）本発明の雨養生装置は、前記足場部の側方の少なくとも一部を覆うシートを備えることが好ましい。
【００１４】
（７）本発明の雨養生装置において、前記雨養生部は、空気膜構造であることが好ましい。
【００１５】
（８）本発明の雨養生装置において、前記建地材の上端を含む上端部が、ジョイント材により構成されており、前記雨養生部を支持している前記最上層の手摺材が、前記ジョイント材に連結していることが好ましい。
【００１６】
（９）本発明のジョイント材は、建地本体に接続可能な本体部と、前記本体部に配設された、手摺材を係合可能な係合部と、を有する。
【発明の効果】
【００１７】
本発明によれば、雨養生部が破損し難い雨養生装置及び雨養生装置に用いるジョイント材を提供することができる。
【図面の簡単な説明】
【００１８】
【図１】本発明の一実施形態に係る雨養生装置の斜視図である。
【図２】図１に示す雨養生装置の一側面図である。
【図３】図１に示す雨養生装置の他の一側面図である。
【図４】図１に示す雨養生装置の部分拡大図である。
【図５】図１に示す雨養生装置の要部を示す部分拡大図である。
【図６】図１に示す雨養生装置の雨養生部の底面図である。
【図７】図１に示す雨養生装置の変形例の部分拡大図である。
【図８】本発明の雨養生装置に用いることのできるジョイント材の斜視図である。
【発明を実施するための形態】
【００１９】
以下、本発明の雨養生装置及び雨養生装置に用いるジョイント材について、図１〜８を参照して説明する。各図において共通する部材・部位には同一の符号を付している。
【００２０】
図１は、本発明の一実施形態に係る雨養生装置１の斜視図であり、該雨養生装置１が建築工事中の建物１００（以下、単に「建物１００」ともいう）に対して設置された状態を示している。図２は、雨養生装置１の一側面図であり、図３は、雨養生装置１の他の一側面図であり、いずれも図１と同様に、雨養生装置１が建物１００に対して設置された状態を示している。
【００２１】
本実施形態の雨養生装置１は、建物１００の周囲に配設されることになる足場部２と、建物１００の上方に配設されることになる雨養生部３と、を備えている。図示例では、足場部２が、建物１００の水平方向の四方（全周）を包囲し、雨養生部３が、当該足場部２及び建物１００の上方を、水勾配を有して覆っている。雨養生部３は、足場部２に支持されている。但し、足場部２は、雨養生部３を支持できる限り、建物１００の水平方向の二方面又は三方面等の一部の面のみを囲うように配設されていてもよい。すなわち、足場部２の配設形態は、雨養生装置１を設置する建物１００の形状や雨養生装置１を設置する環境等に応じて、適宜変更することができる。
【００２２】
本実施形態の雨養生装置１において、足場部２は、雨養生装置１の高さ方向（図１中、Ｚ方向）に延びる、複数本の建地材４と、雨養生装置１の水平方向（上記の高さ方向に直交する方向。例えば、図１中、Ｘ，Ｙ方向）に延びる、複数本の手摺材５と、を備えている。建地材４は、図２，３に示すように、雨養生装置１の水平方向に所定のピッチで配設され、隣接する建地材４間に、所定の長さを有する手摺材５が配設されている。なお、「所定のピッチ」及び「所定の長さ」とは、一般的な足場の規格寸法に対応したピッチ及び長さをいう。
【００２３】
また、本実施形態の雨養生装置１において、足場部２は、二側式である。すなわち、建物１００の外壁面１０１側に近接して配置された、複数本の内周側の建地材４Ａと、該内周側の建地材４Ａのそれぞれから一定距離（この例では、約６００ｍｍ）だけ、外壁面１０１の略垂直方向に離間して配置された、外周側の建地材４Ｂと、を備えている。雨養生装置１の水平方向に隣接する内周側の建地材４Ａ間には、内周側の手摺材５Ａが連結され、雨養生装置１の水平方向に隣接する外周側の建地材４Ｂ間には、外周側の手摺材５Ｂが連結されている。また、内周側の建地材４Ａ及び外周側の建地材４Ｂ間には、外壁面１０１の略垂直方向に延びる連結部材６が連結されている。但し、本発明では、足場部の全体又は一部が一側式であってもよい。
【００２４】
さらに、本実施形態の足場部２では、図４に、足場部２の上端側の一部（図２中、二点鎖線の四角形Ａで囲われた部分）を拡大して示すように、建地材４が、雨養生装置１の高さ方向に延びる複数本の建地部材４Ｐを連結することによって構成されている。図４では、複数の建地部材４Ｐのうちの３本の建地部材４１，４２，４３を示している。なお、本実施形態における足場部２は、該足場部２の上記内周側と外周側とで同様の構成を有しているため、ここでは、単に、「建地材４」及び「手摺材５」として説明する。
【００２５】
より詳細には、図４において雨養生装置１の高さ方向最下側に位置する、建地部材４１は、建地部材４１の両端に接続部４１Ｃ２（下方の接続部は不図示）を有し、下方の接続部を介して、建地部材４１の下側に位置する図示しない建地部材４Ｐと連結し、上方の接続部４１Ｃ２を介して、建地部材４１の上側に位置する建地部材４２と連結している。同様に、図４において雨養生装置１の高さ方向中央に位置する、建地部材４２は、建地部材４２の両端に接続部４２Ｃ１，４２Ｃ２を有し、下方の接続部４２Ｃ１を介して、建地部材４２の下側に位置する建地部材４１と連結し、上方の接続部４２Ｃ２を介して、建地部材４２の上側に位置する、建地部材４３と連結している。さらに、図４において雨養生装置１の高さ方向最上側に位置し、建地材４の上端４ｅをなす建地部材４３は、建地部材４３の一方端、すなわち、雨養生装置１の高さ方向下側の一方端に接続部４３Ｃ１を有し、接続部４３Ｃ１を介して、建地部材４３の下側に位置する建地部材４２と連結している。
【００２６】
すなわち、建地材４の上端４ｅを含む建地部材４３は、該建地部材４３の他方端、すなわち、雨養生装置１の高さ方向上側の端には、接続部を有していない。
【００２７】
また、建地部材４１，４２，４３は、上記の接続部４２Ｃ１，４３Ｃ１のそれぞれを、接続部４１Ｃ２，４２Ｃ２のそれぞれに挿入して（図４中、接続部４２Ｃ１，４３Ｃ１を破線で示す）ピンで留めることにより相互に連結されている。
【００２８】
また、本実施形態の足場部２では、建地部材４１，４２，４３のそれぞれが、該建地部材の側面に複数のくさび受け４１ｗ，４２ｗ，４３ｗを有している。図示例では、手摺材５が、くさび受け４１ｗ，４２ｗ，４３ｗを介して建地部材４１，４２，４３のそれぞれに連結されている。足場部２では、手摺材５及び連結部材６等をくさび受け４１ｗ，４２ｗ，４３ｗに係合させることにより、該手摺材５及び連結部材６等が建地部材４１，４２，４３、ひいては建地材４に連結されている。なお、本実施形態の足場部２は、くさび式足場であるが、本発明の足場部は、くさび式足場のほか、例えば、枠組み足場等の他の様式の足場であってもよい。
【００２９】
また、図５は、本実施形態の雨養生装置１の要部（図４中、二点鎖線の四角形Ｂで囲われた部分）を示す図である。すなわち、足場部２と、該足場部２に支持されている雨養生部３と、の接続部を示す部分拡大図である。図示例では、建地部材４３の上端部に、該上端部の側面に設けられた一対のくさび受け４３ｗを介して、一対の手摺材５が連結されている。これらの手摺材５は、足場部２における最上層の手摺材である。
【００３０】
この足場部２における最上層の手摺材５の上端５ｅの、雨養生装置１の高さ方向に沿う高さＨ５ｅ（以下、単に「高さＨ５ｅ」ともいう）は、建地材４の上端４ｅの、雨養生装置１の高さ方向に沿う高さＨ４ｅ（以下、単に「高さＨ４ｅ」ともいう）よりも高い。換言すれば、建地材４の上端４ｅは、足場部２における最上層の手摺材５の上端５ｅよりも、上側に突出していない。
【００３１】
よって、本実施形態の雨養生装置１では、最上層の手摺材５の上端５ｅが、足場部２の上端２ｅを含んでいる。すなわち、最上層の手摺材５の上端５ｅの高さは、足場部２の上端２ｅの高さＨ２ｅに等しい。従って、本実施形態の雨養生装置１では、雨養生部３が、足場部２の最上層の手摺材５の上端５ｅに支持されている。
【００３２】
このように、本実施形態の雨養生装置１は、建物１００の周囲に配設され、建地材４及び手摺材５を含む足場部２と、建物１００の上方を、水勾配を有して覆う雨養生部３と、を備え、建地材４の上端４ｅが、手摺材のうち最上層の手摺材５の上端５ｅ以下に位置し、雨養生部３が最上層の手摺材５の上端５ｅに支持されている。
【００３３】
建地材４の上端４ｅが、雨養生部３を支持している、最上層の手摺材５の上端５ｅ以下に位置しているため、雨養生部３が風等の影響を受けて、足場部２に叩きつけられたり、該足場部２上を移動しても、雨養生部３が建地材４の上端４ｅに擦れたり突き刺さることがない。すなわち、この雨養生装置１では、足場部２の上端に局所的な突出部がないため、雨養生部３が破損し難い。
【００３４】
そのため、従来、建地材等の雨養生装置の高さ方向に延びる構成部材の上端と、雨養生部と、が接触することに起因して生じていた、雨養生部の破損を回避できる。
【００３５】
また、本実施形態の雨養生装置１では、雨養生部３が、雨養生装置１の水平方向に延びる手摺材５の上端５ｅに支持されているため、雨養生部３を建地材等の雨養生装置の高さ方向に延びる構成部材により支持する場合に比し、雨養生部３と支持体（この場合、手摺材５）との、雨養生装置１の水平方向の接触長さが増大するため、雨養生部３をより安定して支持することができる。
【００３６】
さらに、本実施形態の雨養生装置１では、手摺材５の上端５ｅにより雨養生部３を支持しているため、例えば、踏み板等の他の水平部材を用いて雨養生部３を支持する場合に比し、雨養生装置に用いる部材の点数を減らすことができる。特に、手摺材は、踏み板等の他の水平部材に比べて低重量かつ運搬が容易であるため、雨養生装置１の設置に際しての人員削減及び工期短縮に特に有利である。
【００３７】
なお、図４，５では、足場部２の一部の上端部分を例にして、本実施形態の足場部２と雨養生部３との接続部について説明したが、この足場部２は、該足場部２のすべての上端部分で、建地材４の上端４ｅの高さＨ４ｅが、最上層の手摺材５の上端５ｅの高さＨ５ｅ以下となっている。
【００３８】
但し、本発明の雨養生装置において、建地材４の上端４ｅは、例えば、雨養生部を支持していない、最上層ではない手摺材５の上端５ｅを超えていてもよい。つまり、足場部２の上端を含む手摺材５であっても、その高さ位置は若干異なる場合がある。ここで言う「最上層でない手摺材５」とは、足場部２の上端を含む手摺材５のうち、該足場部２の最上端を含まない手摺材５を意味している。建地材４の上端４ｅの高さＨ４ｅが、最上層でない手摺材５の上端５ｅの高さを超えていても、最上層の手摺材５の上端５ｅの高さＨ５ｅ以下であれば、雨養生部３が建地材４によって破損する可能性は極めて低いからである。
【００３９】
しかしながら、雨養生部３の破損をより確実に回避する観点から言えば、建地材４の上端４ｅは、該建地材に連結している手摺材５が最上層の手摺材ではない場合であっても、該手摺材５の上端５ｅ以下であることが好ましい。
【００４０】
なお、上記の実施形態では、建地材４の上端４ｅの高さＨ４ｅが、最上層の手摺材５の上端５ｅの高さＨ５ｅよりも低いため、雨養生部３が、該最上層の手摺材５の上端５ｅによってのみ支持されているが、建地材４の上端４ｅの高さＨ４ｅが、最上層の手摺材５の上端５ｅの高さＨ５ｅと等しい場合、雨養生部３は、建地材４の上端４ｅ及び手摺材５の上端５ｅの双方により支持されることになる。
【００４１】
また、本実施形態の雨養生装置１では、雨養生部３が、手摺材５に固定されていることが好ましい。本実施形態では、図５に示すように、雨養生部３が、複数の固定部材７によって最上層の手摺材５に固定されている。
【００４２】
このように、雨養生部３が、例えば最上層の手摺材５など、手摺材５に固定されている場合、雨養生部が例えば建地材に固定されている場合に比し、雨養生部３の固定位置を手摺材５の延在方向において自由度高く選択することができる。雨養生部３の固定位置の自由度が高まれば、雨養生部３をより安定して足場部２に固定することができる。
【００４３】
また、本実施形態では、雨養生部３が、上記複数の固定部材７を備えることが好ましい。特には、雨養生部３が、該雨養生部３の下面（すなわち、雨養生部３の足場部２側の面）に、上記複数の固定部材７を備えることが好ましい。
【００４４】
本実施形態では、雨養生部３が、該雨養生部３の下面に、複数本の紐状の固定部材７を備えており、該複数本の紐状の固定部材７を手摺材５に結び付けることにより、雨養生部３が手摺材５に固定されている。具体的には、複数本の紐状の固定部材７の一端側は、予め雨養生部３の下面に固定されており、複数の紐状の固定部材７の他端側は、現場の作業者によって、手摺材５（この例では、内周側の手摺材５Ａ及び外周側の手摺材５Ｂ）に結び付けられる。また、固定部材７が雨養生部３の下面に設けられているので、雨養生部３の下方にいる作業者は、固定部材７の他端側を手摺材５に容易に結び付けることができる。
【００４５】
このように、雨養生部３が、該雨養生部３の下面に、複数の固定部材７を備える場合、個別の固定部材を用いて雨養生部３を手摺材５に固定する場合に比し、雨養生部３の固定作業を効率化することができる。
【００４６】
なお、図示例では、紐状の固定部材７を手摺材５に結びつけることにより、雨養生部３が手摺材５に固定されているが、固定部材はこれに限定されない。例えば、固定部材を、テープ状の部材に面ファスナーやボタン等が設けられた固定具として、該面ファスナーやボタン等を留めることにより、雨養生部３を手摺材５に固定することや、固定部材を、例えば、カラビナ等の任意の固定金具として、該固定金具を手摺材５に係合させることにより、雨養生部３を手摺材５に固定すること等ができる。
【００４７】
但し、固定部材７が紐状であれば、固定部材７による手摺材５への固定状態を、手摺材５の延在方向によらずに良好なものとすることができる。また、固定部材７と手摺材５との距離が比較的離間している場合であっても、雨養生部３を手摺材５に固定し易くすることができる。
【００４８】
さらに、本実施形態の雨養生装置１では、雨養生部３が備える上記の固定部材７が、平面視において、所定のモジュールに基づき該モジュールの交点に配置されていることが好ましい。なお、ここでいう「平面視」とは、雨養生部３の下面（底面）の平面視をいう。
【００４９】
すなわち、図６に、雨養生部３の下面（底面）を図示するように、固定部材７は、雨養生装置１の水平方向にあたるＸ方向に所定のモジュールに基づくピッチＰで引いた、複数の線分Ｌｘと、雨養生装置１の水平方向にあたるＹ方向に当該所定のモジュールに基づくピッチＰで引いた、複数の線分Ｌｙと、の交点Ｉｎ上に配置されていることが好ましい。
【００５０】
上記所定のモジュールを、例えば、軸組部材が予め規格化（標準化）された住宅に用いられている単位寸法（例えば、規格化された住宅が尺モジュールを採用していれば、１尺）と同一、又は、該単位寸法の約数もしくは倍数とすれば、固定部材の配置が様々な建物の平面形状に対応し、該固定部材７を手摺材５の延在位置に位置合わせし易くなるため、雨養生部３の固定作業をさらに効率化できる。
【００５１】
また、上記所定のモジュールを、例えば、足場部２を構成する足場の規格寸法と同一、又は、該規格寸法の約数又は倍数とすれば、固定部材７を、複数の手摺材５と位置合せし易くなるため、足場部２と雨養生部３とを強固に固定することができる。
【００５２】
さらに、本実施形態の雨養生装置１では、雨養生部３が、平面視において、上記所定のモジュールに従う外形寸法を有することが好ましい。
【００５３】
上記所定のモジュールを、例えば、軸組部材が予め規格化（標準化）された住宅に用いられている単位寸法の倍数とすれば、当該規格化された住宅に有利に適合させることができる。
【００５４】
なお、図１に示すように、雨養生部３を複数のパーツ３１Ａ，３１Ｂ，３１Ａにより構成する場合、各パーツが、平面視において、上記所定のモジュールに従う外形寸法を有することが好ましい。
【００５５】
また、本実施形態の雨養生装置１では、雨養生部３が、空気膜構造であることが好ましい。図示例において、この雨養生部３は、空気等の気体を封入した状態で切妻屋根状となる、空気膜構造を有している。
【００５６】
本実施形態の雨養生部３は、該雨養生部３の下面（底面）に、１つ又は複数の開口９を有し（図６参照）、図２、３に示すように、該開口９に、送風機１１に接続するダクト１０を固定し、当該雨養生部３の内部に常時空気を送り込むことによって形状が維持されている。なお、開口９が複数ある場合、使用しない開口９は閉口しておくことができる。
【００５７】
このように、雨養生部３を、空気膜構造とすれば、例えば、単層の養生シートを用いて水勾配を有する雨養生部を構成する場合に比し、当該水勾配を有する雨養生部を容易に構成することができると共に、雨養生部３の形状安定性を高めることができる。また、雨養生装置１の設置に要する時間を短縮できる。
【００５８】
また、本実施形態の雨養生部３は、３つのパーツからなるユニット式である。図１に示すように、この雨養生部３は、雨養生部３の一方の妻面を形成する、端部パーツ３１Ａと、雨養生部３の他方の妻面を形成する、端部パーツ３１Ａと、該端部パーツ３１Ａ，３１Ａ間に位置する、中間パーツ３１Ｂと、から構成されている。
【００５９】
このように、切妻屋根状の雨養生部３では、雨養生部３を、妻面に沿う接続面を有する複数のパーツから構成することにより、雨養生部３の桁面の寸法を変化させることができる。すなわち、端部パーツ３１Ａ，３１Ａ間に、１つ又は複数の中間パーツ３１Ｂを接続することにより、雨養生部３の桁面の寸法を、該雨養生装置１を設置する建物１００の寸法に応じて変化させることができる。なお、２つの端部パーツ３１Ａを相互に接続すれば、最小寸法の雨養生部を構成できる。
【００６０】
また、本実施形態の雨養生部３は、妻面に沿って分断されたユニット式であるため、雨養生部３の一定の水勾配を維持したまま、雨養生部３の桁面の寸法を変化させることができる。
【００６１】
なお、本発明の雨養生装置において、雨養生部の形状は切妻屋根状に限定されず、水勾配が得られるものであれば、例えば、寄棟屋根状やアーチ状等、他の屋根形状とすることもできる。
【００６２】
さらに、図１に示すように、本実施形態の雨養生装置１は、足場部２の側方の少なくとも一部を覆うシート８を備えることが好ましい。
【００６３】
図１では、シート８の一部を省略して示している。雨養生装置１が、足場部２の側方の少なくとも一部を覆うシート８を備える場合、足場部２の内側に風が浸入し難くなり、風による雨養生部３の吹き上げが軽減されるため、水勾配を有する雨養生部３の形状を維持し易くなる。雨養生部３の形状を維持すれば、雨養生部３における排水性を担保できる。
【００６４】
なお、シート８の上部が、最上層の手摺材５の高さに達するように設けられていることがさらに好ましい。この場合、風による雨養生部３の吹き上げが更に軽減される。
【００６５】
なお、本実施形態の雨養生装置１では、シート８は、メッシュシートである。但し、本発明におけるシートは、これに限定されず、ビニルシート等とすることもできる。
【００６６】
また、図７は、上述の実施形態の変形例を示す図である。すなわち、図７に示す例では、建地材７４の上端７４ｅを含む上端部が、ジョイント材２０により構成されている。より詳細には、建地材７４は、複数の建地部材７３（図７では１つのみを図示）により構成された建地本体７４Ｐと、この建地本体７４Ｐの上側に連結されているジョイント材２０と、から構成されている。そして、該ジョイント材２０が建地材７４の上端７４ｅを含んでいる。図示例では、建地本体７４Ｐの上端を構成する建地部材７３の、雨養生装置１の高さ方向上側の接続部７３Ｃ２に、ジョイント材２０が連結されている。また、建地部材７３の側面には、複数のくさび受け７３ｗが設けられている。
【００６７】
従来、一般に流通している建地部材を用いて構成される建地材においては、該建地材の上端が手摺材の上端よりも高くなる。例えば、図７の建地部材７３と、該建地部材７３に連結する手摺材５と、がそうであるように、建地部材７３の上端の高さＨ７３は、手摺材５の上端の高さＨ５よりも高くなる。従って、一般に流通している建地部材を用いて上記の雨養生装置１を構成する場合、建地材の最上側に位置する建地部材の端部を加工する必要がある。しかしながら、ジョイント材２０を、一般に流通している建地部材に連結させれば、建地材７４の上端７４ｅが、最上層の手摺材５の上端５ｅ以下である足場部を容易に得ることができる。
【００６８】
なお、このジョイント材２０は、図８に示すように、建地本体７４Ｐに接続可能な本体部２０Ｂと、該本体部２０Ｂの外周面に配設された、手摺材５を係合可能な係合部２０ｗと、を有する。
【００６９】
このジョイント材２０では、係合部２０ｗを、雨養生装置の一の水平方向（例えば、図１に示すＸ方向）に沿って手摺材５を係合可能である、一対の係合部２０ｗａと、該一の水平方向に直交する他の水平方向（例えば、図２に示すＹ方向）に沿って手摺材５を係合可能である、一対の係合部２０ｗｂと、から構成することができる。この場合、一対の係合部２０ｗａと、一対の係合部２０ｗｂと、は、本体部２０Ｂの延在方向に位置を異にして配置される。
【００７０】
以上に、本発明の雨養生装置について説明してきたが、本発明の足場部は、上述の建地材、手摺材及び連結部材の他にも、例えば、筋交、控え材、火打材、踏板、階段、梯子、壁あてジャッキ等、一般の足場に使用される他の構成部材を含むことができる。
【符号の説明】
【００７１】
１：雨養生装置
２：足場部
２ｅ：足場部の上端部
３：雨養生部
４，７４：建地材
４Ａ：内周側の建地材
４Ｂ：外周側の建地材
４ｅ，７４ｅ：建地材の上端
５：手摺材
５Ａ：内周側の手摺材
５Ｂ：外周側の手摺材
５ｅ：手摺材の上端
６：連結部材
７：固定部材
８：シート
９：開口部
１０：ダクト
１１：送風機
２０：ジョイント材
２０Ｂ：ジョイント材の本体部
２０ｗ，２０ｗａ，２０ｗｂ：ジョイント材の係合部
３１Ａ：端部パーツ
３１Ｂ：中間パーツ
４Ｐ，４１，４２，４３，７３：建地部材
４１ｗ，４２ｗ，４３ｗ，７３ｗ：くさび受け
４１Ｃ２，４２Ｃ１，４２Ｃ２，４３Ｃ１：接続部
７４Ｐ：建地本体
１００：建物
１０１：建物の外壁面
【図１】
2019065501.tif 000003
【図２】
2019065501.tif 000004
【図３】
2019065501.tif 000005
【図４】
2019065501.tif 000006
【図５】
2019065501.tif 000007
【図６】
2019065501.tif 000008
【図７】
2019065501.tif 000009
【図８】
2019065501.tif 000010